(57)【要約】【課題】天面高さ位置の異なる複数の流し台を比較体験することができ、しかも、それをわずかな設置スペースさえあれば実現することができる流し台の高さ寸法比較体験システム等を提供する。【解決手段】上面高さ位置を流し台の天面高さ位置とする水平方向に引出し可能な天板材１…が複数、上面の高さ位置を異ならせて上下方向に重なり状に備えられ、各天板材１…には、流し部形成用の椀状材２をセットする開口部４が備えられている。そして、各天板材１…について、引き出した天板材の開口部４に流し部形成用の椀状材２を下方突出状態にセットすることにより、その天板材１の上面高さ位置を天面高さ位置とする高さ寸法比較体験用の流し台が形成されるようになされている。【選択図】      図１
2004264551.tif 000002
【特許請求の範囲】
【請求項１】
上面高さ位置を流し台の天面高さ位置とする水平方向に引出し可能な板状部が複数、上面の高さ位置を異ならせて上下方向に重なり状に備えられ、
各板状部には、流し部形成用の椀状材をセットする開口部が備えられ、
各板状部について、引き出した板状部の開口部に流し部形成用の椀状材を下方突出状態にセットすることにより、その板状部の上面高さ位置を天面高さ位置とする高さ寸法比較体験用の流し台が形成されるようになされていることを特徴とする流し台の高さ寸法比較体験システム。
【請求項２】
請求項１に記載の流し台の高さ寸法比較体験システムを用い、体験希望者に流し台の高さ寸法の比較体験をさせることを特徴とする流し台の高さ寸法比較体験提供方法。
【発明の詳細な説明】
【０００１】
【発明の属する技術分野】
本発明は、流し台の高さ寸法比較体験システム及び同体験提供方法に関する。
【０００２】
【関連技術】
住宅の新築や増改築において、新たに導入しようとする流し台の天面高さ位置がどの程度のものであれば、使用者にとって使いやすいかを、予め寸法的に比較体験できると非常に便利である。
【０００３】
そのような体験設備として、天面高さ位置の異なる複数の比較体験用流し台を並設し、それぞれの流し台の前に立ってみて流し台の天面高さ位置の比較体験を行えるようにすることも考えられる。
【０００４】
【発明が解決しようとする課題】
しかしながら、天面高さ位置の異なる複数の比較体験用流し台を並設した比較体験設備では、これらの流し台を設置するスペースとして広いスペースを必要とし、そのようなスペースを確保するのが困難である場合が多いゆえに、このような比較体験設備を世の中に広く普及させていくのが難しいという問題がある。
【０００５】
本発明は、上記のような問題点に鑑み、天面高さ位置の異なる複数の流し台を比較体験することができ、しかも、それをわずかな設置スペースさえあれば実現することができる流し台の高さ寸法比較体験システム等を提供することを課題とする。
【０００６】
【課題を解決するための手段】
上記の課題は、上面高さ位置を流し台の天面高さ位置とする水平方向に引出し可能な板状部が複数、上面の高さ位置を異ならせて上下方向に重なり状に備えられ、
各板状部には、流し部形成用の椀状材をセットする開口部が備えられ、
各板状部について、引き出した板状部の開口部に流し部形成用の椀状材を下方突出状態にセットすることにより、その板状部の上面高さ位置を天面高さ位置とする高さ寸法比較体験用の流し台が形成されるようになされていることを特徴とする流し台の高さ寸法比較体験システムによって解決される。
【０００７】
このシステムでは、引き出した板状部の開口部に椀状材をセットすることにより、その板状部の天面高さ位置に相当する体験用流し台が形成され、そのような天面高さ位置の流し台を体験することができ、また、これとは別の高さ位置にある板状部を引き出して、その開口部に椀状材をセットすることにより、その板状部の天面高さ位置に相当する体験用流し台が形成され、そのような天面高さ位置の流し台を、前記天面高さ位置の体験用流し台と比較して体験することができる。
【０００８】
しかも、複数の板状部はそれぞれ、引出し可能で、上面の高さ位置を異ならせて上下方向に重なり状に備えられているので、天面高さ位置の異なる複数の体験用流し台をスペース的に有利に設置することができる。システムを使用しないときは各板状部を引き出した状態にすることなく収納部に収納しておくことによって周囲にスペース的な余裕を持たせることもできる。
【０００９】
加えて、流し台が開口部付き板状部と椀状材とに分割されているので、上下の板状部間の間隔寸法を椀状材の深さ寸法に左右されることなく設定することができ、流し台の天面高さ位置の相違による流し台の使い勝手の比較体験を優先した設備の設計を行うことができ、流し台の天面高さ位置の相違による流し台の使い勝手の比較体験を優先させたがために、椀状材の深さ寸法を小さく設計しなければならないというようなこともない。
【００１０】
また、各板状部が引出し式であるから、体験用流し台の天面高さ位置の変更を手間なく容易に行っていくことができる。
【００１１】
更に、椀状材が各板状部の開口部にセット可能な共通部品からなっている場合は、流し台の天面高さ位置の比較体験を共通の椀状材で行っていくことができ、体験システムにおける構成部品点数を少なくすることができる。
【００１２】
上記の流し台高さ寸法比較体験システムを用い、体験希望者に流し台の高さ寸法の比較体験をさせることによって、福祉分野であるか、住宅関連分野であるか、教育分野であるかを問わず、体験をさせる側は、設備の利用スペースの確保に苦慮することなく、体験設備を容易に導入していくことができるようになり、希望者の体験希望に容易に応えていくことが可能となる。
【００１３】
【発明の実施の形態】
次に、本発明の実施形態を図面に基づいて説明する。
【００１４】
図１に示す実施形態の、流し台の高さ寸法比較体験システムは、キッチンの流し台についてのもので、１…はそれぞれ板状部としての天板材、２は流し部を形成する椀状材である。
【００１５】
天板材１…は、複数枚、本実施形態では３枚備えられており、上面高さ位置を流し台の天面高さ位置とするようにして、上面の高さ位置を異ならせ、上下方向に重なり状にされて、収納部としてのボックス３内に水平手前方向に引出し可能に備えられている。即ち、これらの天板材１…にて天面高さ位置の異なる複数種類、本実施形態では３種類の流し台を比較体験できるようになされている。天板材１…は、例えば伸縮式レール等を用いることで、手前側に大きく引き出すことができる。
【００１６】
そして、各天板材１…には、流し部形成用の椀状材２をセットする上下方向に貫通の開口部４…が備えられ、椀状材２を天板材１の開口部４に下方突出状態となるように取外し可能にセットすることができるようになされている。その縁を天板材１の開口部の上面側の縁に支承させるようにすることでセット状態を得られるようになされていてもよいし、その他の態様でセットされるようになされていてもよい。
【００１７】
椀状材２は、３つの天板材１，１，１に共通のもので、本システムでは、１つだけ備えられている。この椀状材２は、ボックス３内の天板材１…の下方に空きスペース５に収納されてもよいし、すべての天板材１…をボックス３内に収納した状態で、最上部の天板材１の開口部にセットして収納するようにしてもよい。その場合に、椀状材２は二枚以上の天板材１…の開口部４…を貫通して下方に突出するようなものであっても、下の天板材に突出を妨げられることはなく、不都合ない収納状態を得ることができる。
【００１８】
上記の体験システムの使い方は次のとおりである。即ち、図２（イ）に示すように、ボックス３からすべての天板材１…を引き出し、そして、最上部の天板材１の開口部４に椀状材２をセットすることで、天面高さ位置の最も高い流し台を体験することができる。次いで、図２（ロ）に示すように、椀状材２を取り外し、最上部の天板材１をボックス３内に収納し、天面高さ位置が二番目に高い天板材１の開口部４に椀状材２をセットすることで、その天面高さ位置の流し台を体験することができる。更に、図２（ハ）に示すように、椀状材２を取り外し、二番目の天板材１をボックス３内に収納し、天面高さ位置が最も低い三番目の天板材１の開口部４に椀状材２をセットすることで、天面高さ位置が最も低い流し台を体験することができる。こうして、天面高さ位置の異なる三種類の流し台を比較体験することができる。
【００１９】
あるいは、図３（イ）に示すように、ボックス３から最も上の天板材１のみを引き出し、その天板材１の開口部４に椀状材２をセットすることで、天面高さ位置の最も高い流し台を体験し、次いで、図３（ロ）に示すように、最上部の天板材１をボックス３に収納すると共に、天面高さ位置が二番目に高い天板材１のみをボックス３から引き出し、その開口部４に椀状材２をセットすることで、その天面高さ位置の流し台を体験し、そして、図３（ハ）に示すように、前記二番目の天板材１をボックス３に収納すると共に、最も下の天板材１のみをボックス３から引き出し、その開口部４に椀状材２をセットすることで、天面高さ位置が最も低い流し台を体験するというような使い方がなされてもよく、都合の良い種々の使い方がなされてよい。その場合に、下の天板材から体験をはじめるようにしてもよいし、中間の天板材から体験をはじめるようにしてもよいし、順序についても制限はない。
【００２０】
このように、上記の比較体験システムでは、天面高さ位置の異なる複数の流し台を比較体験することができ、しかも、複数の天板材１…はそれぞれ、引出し可能で、上面の高さ位置を異ならせて上下方向に重なり状に備えられているので、天面高さ位置の異なる複数の体験用流し台をスペース的に有利に設置することができる。また、このシステムを使用しないときは、すべての天板材１…をボックス３内に収納することによって、スペースを広くすることができる。
【００２１】
加えて、体験用の流し台が、開口部４の付いた天板材１と、椀状材２とに分割されているので、上下の天板材間の間隔寸法を椀状材２の深さ寸法に左右されることなく設定することができ、流し台の天面高さ位置の相違による流し台の使い勝手の比較体験を優先した設備の設計を行うことができる。
【００２２】
また、各天板材が引出し式であるから、体験用流し台の天面高さ位置の変更を手間なく容易に行っていくことができる。即ち、天板材を例えば置換えによって交換するような場合に比べて体験用流し台の天面高さ位置を手間なく楽に変更していくことができる。
【００２３】
更に、椀状材２が各天板材１…の開口部４…にセット可能な共通部品からなっているので、流し台の天面高さ位置の比較体験を共通の椀状材２で行っていくことができ、体験システムにおける構成部品点数を少なくすることができる。
【００２４】
そして、上記の流し台高さ寸法比較体験システムを用い、体験希望者に流し台の高さ寸法の比較体験をさせることによって、福祉分野であるか、住宅関連分野であるか、教育分野であるかを問わず、体験をさせる側は、設備の利用スペースの確保に苦慮することなく、体験設備を容易に導入していくことができるようになり、希望者の体験希望に容易に応えていくことが可能となる。
【００２５】
以上に、本発明の実施形態を示したが、本発明はこれに限られるものではなく、発明思想を逸脱しない範囲で各種の変更が可能である。例えば、上記の実施形態では、天板材が上下方向に３つ備えられている場合を示しており、天板材は３枚以上であるのが好ましいが、２枚であってもよく、その場合であっても、２台の体験用流し台を併設する場合に比べて、使用しない場合にはボックス３などの収納部に収納しておくことで、周囲にスペース的な余裕をもたせることができる。また上記の実施形態では、板状部として天板材を用いた場合を示しているが、下向き開放コ字状材や下向きＬ字状材の上部水平板部を板状部とし、これを収納部に引き出し可能に備えさせたものであってもよい。また、上記の実施形態では、収納部としてボックス形のものを示したが、ボックス形のものでなくてもよいし、また、板状部を引出し可能に保持しうるような保持部であればよく、収納部というようなものでなくてもよい。また、本発明における流し台は、洗面室の洗面用流し台であってもよい。
【００２６】
【発明の効果】
本発明は、以上のとおりのものであるから、天面高さ位置の異なる複数の流し台を比較体験することができ、しかも、それをわずかな設置スペースさえあれば実現することができる。
【図面の簡単な説明】
【図１】実施形態の体験システムを示すもので、図（イ）は斜視図、図（ロ）は断面側面図である。
【図２】図（イ）〜図（ハ）は、体験方法の一例を順次に示す要部断面側面図である。
【図３】図（イ）〜図（ハ）は、体験方法の他の例を順次に示す要部断面側面図である。
【符号の説明】
１…天板材（板状部）
２…椀状材
４…開口部
【図１】
2004264551.tif 000003
【図２】
2004264551.tif 000004
【図３】
2004264551.tif 000005